(57)【特許請求の範囲】
【請求項１】
カードが挿入されるボディに、このボディに挿入されてきたカードに係合して初期位置からカードセット位置に対応する押込位置に向けて前方へ押し込まれるスライダが、後方に向けて弾発付勢された状態で前後にスライド自在に保持され、
上記スライダに、正規姿勢でボディに挿入された上記カードの幅方向片側に設けられている凹所に嵌合してそのカードをスライダに対して位置決めする係合体とこの係合体を上記凹所に対する嵌入方向に常時付勢する弾性体とが設けられ、上記係合体が、正規姿勢でボディに挿入されてきたカードの幅方向片側端面をスライダの移動を伴わずに乗り上がらせるための後側ガイド面と、この係合体が上記凹所に嵌合している状態からカードがスライダの後方へ引張られたときにそのカードの幅方向片側端面をスライダの移動を伴わずに乗り上がらせるための前側ガイド面とを有してなるカードコネクタにおいて、
上記ボディに掛止部が追加され、かつ、上記スライダに上記掛止部に掛止可能な外側位置とその掛止部に掛止不能な内側位置との間で変位可能でかつ内側位置に向けて常時弾発付勢されたフック部が追加されていると共に、これらの掛止部とフック部との掛止位置は、上記スライダが初期位置から押込位置まで移動する途中の箇所に位置しており、
上記係合体の後側ガイド面は、裏返し姿勢でボディに挿入されてきたカードの幅方向他側端面をスライダの移動を伴わずにその係合体に乗り上がらせる機能を有し、上記ボディに裏返し姿勢で挿入されてきたカードの幅方向他側端面を乗り上がらせた上記係合体が上記弾性体による付勢に抗して側方へ退避するのに伴って上記フック部を外側位置に向けて押し出す押圧部が、その係合体に連設されていることを特徴とするカードコネクタ。
【請求項２】
ばね板でなる上記弾性体と、そのばね板の先端部に連設された山形部でなる上記係合体と、上記ばね板を介して上記係合体に連設された突片でなる上記押圧部と、上記フック部と、そのフック部を上記内側位置に向けて常時弾発付勢するばね片部とを一体に備えた板金ユニットが上記スライダに取り付けられている請求項１に記載したカードコネクタ。
【請求項３】
上記掛止部が、上記フック部の出退を許容する開口を備えたフレーム部材における上記開口の前側開口縁によって形成されている請求項２に記載したカードコネクタ。
【発明の詳細な説明】
【０００１】
【発明の属する技術分野】
本発明は、カードコネクタ、特にボディに挿入したカードに押されて初期位置からカードセット位置に対応する押込位置に向けて前方へ押し込まれるスライダを備えたカードコネクタに関する。
【０００２】
【従来の技術】
この種のカードコネクタが特開２００１−１８５２８６号公報（先行例）に記載されている。このカードコネクタでは、筐体としてのボディに、スライダが後方へ向けてばねの力で常時付勢された状態で前後にスライド自在に保持されていて、そのスライダに、ボディに挿入されてきたカードに係合する係合面が設けられている。そして、カードがボディに正規姿勢で挿入されてくると、カードがスライダの上記係合面に係合するので、ばねの付勢に抗してスライダが前方へ押し込まれる。
【０００３】
また、スライダには、弾性を有する線材の一部分に山形の係合体を折曲形成してなるピン部材が片持ち状に取り付けられているのに対し、カードの片側端面にはその係合体の嵌合が可能な凹所が備わっている。そして、カードが正規姿勢でボディに挿入されてきたときには、スライダが初期位置に停止したままの状態で（すなわち初期位置に位置しているスライダの移動を伴わずに）、カードの片側端面の前側部分が係合体を外側へ変位させながら乗り越え、それによってカードの上記凹所に上記係合体がピン部材の弾性によって嵌合する。こうしてカードの凹所に係合体が嵌合した状態では、カードが後方へ無理やり強く引張られない限り、スライダからのカードの単独後退が防止されるというハーフロック機能が発揮される。この状態からさらにカードによりスライダが押し込まれて押込位置に達すると、スライダをボディに対して位置固定するロック機構（先行例の場合はカム機構によってロック機構が構成されている）によるフルロック機能が働いてスライダの後退が阻止される。また、そのフルロック機能が解除されると、スライダを後方へ向けて付勢しているばねの力でスライダが初期位置まで後退し、カードがスライダによって後方へ押し出される。
【０００４】
これに対し、ボディにカードが裏返し姿勢で挿入されてきたときには、カードの他側端面が係合体に乗り上がって係合体を外側へ変位させることがあり、そのようになると、カードの他側端面が係合体に乗り上がって外側へ変位させたまま、カードがスライダを初期位置から押込位置まで押し込むけれども、この場合には上記ロック機構によるフルロック機能が働かず、カードから手を離すなどしてカードに対する押込力を解除すると、スライダを後方へ向けて付勢しているばねの力でスライダが初期位置まで後退し、カードがスライダによって後方へ押し出され、このように一旦押し込んだカードがスライダの押込位置でフルロックされずに直ちに押し出されてくることにより、カードが裏返し姿勢で挿入されたこと（すなわち逆挿入されたこと）が操作者に認識される。
【０００５】
【発明が解決しようとする課題】
しかしながら、上記した先行例に見られるように、カードが正規姿勢で挿入された場合と裏返し姿勢で挿入された場合との区別を、カードがスライダの押込位置でフルロックされる状態とフルロックされずに直ちに押し出される状態とで操作者に認識させるものでは、ボディに挿入したカードがスライダの押込位置でフルロックされずに直ちに押し出されてきたときに、操作者が必ずしもカードが裏返し姿勢で逆挿入したと認識するとは限らず、操作者がカードコネクタやそれが取り付けられている機器が故障しているものと誤認するというおそれがあった。
【０００６】
本発明は以上の状況に鑑みてなされたものであり、カードを正規姿勢で挿入した場合の押込みストロークとカードを裏返し姿勢で挿入した場合の押込みストロークとを異ならせることによって、カードを裏返し姿勢で挿入した操作者にカードの逆挿入を正しく容易に認識させることのできるカードコネクタを提供することを目的とする。
【０００７】
【課題を解決するための手段】
本発明に係るカードコネクタは、カードが挿入されるボディに、このボディに挿入されてきたカードに係合して初期位置からカードセット位置に対応する押込位置に向けて前方へ押し込まれるスライダが、後方に向けて弾発付勢された状態で前後にスライド自在に保持されている。また、上記スライダに、正規姿勢でボディに挿入された上記カードの幅方向片側に設けられている凹所に嵌合してそのカードをスライダに対して位置決めする係合体とこの係合体を上記凹所に対する嵌入方向に常時付勢する弾性体とが設けられ、上記係合体が、正規姿勢でボディに挿入されてきたカードの幅方向片側端面をスライダの移動を伴わずに乗り上がらせるための後側ガイド面と、この係合体が上記凹所に嵌合している状態からカードがスライダの後方へ引張られたときにそのカードの幅方向片側端面をスライダの移動を伴わずに乗り上がらせるための前側ガイド面とを有している。
【０００８】
さらに、上記ボディに掛止部が追加され、かつ、上記スライダに上記掛止部に掛止可能な外側位置とその掛止部に掛止不能な内側位置との間で変位可能でかつ内側位置に向けて常時弾発付勢されたフック部が追加されていると共に、これらの掛止部とフック部との掛止位置は、上記スライダが初期位置から押込位置まで移動する途中の箇所に位置しており、上記係合体の後側ガイド面は、裏返し姿勢でボディに挿入されてきたカードの幅方向他側端面をスライダの移動を伴わずにその係合体に乗り上がらせる機能を有し、上記ボディに裏返し姿勢で挿入されてきたカードの幅方向他側端面を乗り上がらせた上記係合体が上記弾性体による付勢に抗して側方へ退避するのに伴って上記フック部を外側位置に向けて押し出す押圧部が、その係合体に連設されている。
【０００９】
この構成であれば、カードを正規姿勢でボディに挿入したときには、スライダが初期位置に停止したままの状態で、カードの片側端面が係合体を外側へ変位させながら乗り越えることによってカードの凹所に係合体が弾性体の弾性によって嵌合するので、スライダからのカードの単独後退が防止されるというハーフロック機能が発揮される。また、この状態からさらにカードによりスライダを押込位置まで押し込むことが可能である。
【００１０】
これに対し、ボディにカードが裏返し姿勢で逆挿入されたときには、スライダが初期位置に停止したままの状態で、カードの他側端面が係合体の後側ガイド面の作用によって係合体に乗り上がり、係合体を弾性体の付勢に抗して外側（側方）へ退避（変位）させる。こうして係合体が側方へ退避すると、それに伴って係合体に連設されている押圧部がフック部を外側位置に向けて押し出すので、その後に、カードの他側端面が係合体に乗り上がったままスライダが初期位置から押込位置に向けて押し込まれると、フック部がスライダと共に前方へ移動してボディに追加されている掛止部に掛止し、その掛止位置を越えてスライダが前進することを阻止する。そして、掛止部とフック部との掛止位置は、スライダが初期位置から押込位置まで移動する途中の箇所に位置しているため、操作者はスライダが押込位置に到達する前にカードを押し込むことができなくなり、それによって操作者はカードが裏返し姿勢で逆挿入されていることを認識するようになる。
【００１１】
本発明では、ばね板でなる上記弾性体と、そのばね板の先端部に連設された山形部でなる上記係合体と、上記ばね板を介して上記係合体に連設された突片でなる上記押圧部と、上記フック部と、そのフック部を上記内側位置に向けて常時弾発付勢するばね片部とを一体に備えた板金ユニットが上記スライダに取り付けられていることが望ましい。これによると、弾性体、係合体、押圧部、フック部、ばね片部とが板金ユニットという単一部品によって形成されるので、部品点数の増大が抑制されて組立工数や部品コストが削減されるだけでなく、押圧部やフック部などの必要な位置精度が容易に確保されるようになって動作安定性が向上する。
【００１２】
本発明では、上記掛止部が、上記フック部の出退を許容する開口を備えたフレーム部材における上記開口の前側開口縁によって形成されていることが望ましい。これによると、ボディを合成樹脂成形体で製作した場合に、フレーム部材がボディを補強することに役立つので、ボディを薄肉化してそのコンパクト化を促進することが可能になる。
【００１３】
【発明の実施の形態】
図１は本発明のカードコネクタの実施形態の概略斜視図である。同図において、１は電気絶縁性に優れた合成樹脂成形体でなるボディで、後端部にカード１００の挿入口１１を有し、この挿入口１１にはカード１００が出し入れされる際にそのカード１００に追従して開閉動されるシャッタ１２を取り付けることもある。このボディ１の上面は開放されていて、その開放部分が、ボディ１に被せて取り付けられた電磁シールド性を発揮する金属製のカバー１４で塞がれている。
【００１４】
図２はスライダ２と後述するカム機構を形成するためのピン部材５を示した概略斜視図、図３は板金ユニット６を裏返し姿勢で示した概略斜視図、図４はカム機構４を形成しているカム部４１のカム溝形状を示した説明図、図５は図４のＶ−Ｖ線拡大断面図、図６は図４のＶＩ−ＶＩ線拡大断面図、図７〜図９は横断平面図で示した作用説明図である。
【００１５】
図７〜図９のように、ボディ１の片側側部にスライダ２のほか、カム機構４を形成しているカム部４１やピン部材５、板金ユニット６が配備されている。また、図示していないボディ１の前壁１５の左右方向中央部分には、所要極数の接片部材が間隔を隔てて左右方向Ｗに並べて取り付けられ、それぞれの接片部材が前壁１５の後方のカード挿入空間の内部に延び出ている。そして、これらの接片部材の先端部の接点が、ボディ１内のセット位置まで挿入されたカード１００の電極形成領域（不図示）に形成されている所要極数の電極（不図示）に個別に弾接するようになっている。
【００１６】
図２のように、スライダ２は前後に細長い形状の合成樹脂成形体で作られていて、その内側にカード（ＩＣカードなど）１００の片側端面１０１を支える支持面２１（図７参照）と、この支持面２１に連続して前方へ湾曲状に延び出た係合面２２とを有しており、ボディ１に挿入されたカード１００の湾曲状に形成された先端片側コーナ部１０３が係合面２２に突き当たってスライダ２に係合するようになっている（図７参照）。また、スライダ３には、その下部に板片部２３が突出されている。さらに、このスライダ３には、外向きに開放した前後に長い凹入部２４が備わっており、この凹入部２４を形作っている下板部２５に、上記ピン部材５の基部に直角に折曲げ形成された軸部５１が回転自在に挿入される孔部２６が形成され、かつ、その孔部２６よりも前側に、上記ピン部材５の前端に直角に折曲げ形成されたピン５２の左右方向の揺動を許容するスリット状の切込み部２７が形成されている。そして、ピン部材５の軸部５１が上記孔部２６に回転自在に差し込まれ、ピン５２が切込み部２７に配備される。
【００１７】
板金ユニット６を裏返し姿勢で示した図３のように、板金ユニット６は、１枚の金属板に機械加工を施すことによって製作されていて、板金ユニット６の後端部から前方へ向けて斜め下向きに延び出たばね体６１と、板金ユニット６の前端部から後方へ延び出た弾性片部６２と、この弾性片部６２の先端部を山形に折り曲げることによって形成された係合体６３と、この係合体６３の先端部に連設されて外向きに突き出た押圧片部６４と、上記弾性片部６２の外側に位置して板金ユニット６の前端部から後方へ延び出たばね片部６７と、このばね片部６７の先端に形成されたカール状のフック部６８と、を一体に備えていると共に、上記弾性片部６２に舌片状の押圧部６９が設けられてその押圧部６９が上記ばね片部６７に間隔を隔てて対峙している。また、上記係合体６３には、後側ガイド面６３ａと前側ガイド面６３ｂが備わっていて、後側ガイド面６３ａは、正規姿勢でボディ１に挿入されてきたカード１００の幅方向片側端面１０１をスライダ２の移動を伴わずに乗り上がらせる役割を担い、前側ガイド面６３ｂは、係合体６３がカード１００の凹所１１０に嵌合している状態からカード１００がスライダ２の後方へ引張られたときにそのカード１００の幅方向片側端面１０１をスライダ２の移動を伴わずに乗り上がらせる役割を担っている。さらに、後側ガイド面６３ａは、裏返し姿勢でボディ１に挿入されてきたカード１００の幅方向他側端面１０２をスライダ２の移動を伴わずにその係合体６３に乗り上がらせる機能をも備えている。
【００１８】
この板金ユニット６は図２に示したスライダ２の凹入部２４に嵌め込まれる。そして、凹入部２４に板金ユニット６が嵌め込まれた状態では、図７〜図９のように、ばね体６１の先端に成形されている湾曲部６６がピン部材５に弾圧してピン部材５の軸部５１が浮き上がって孔部２６から抜け出ることを防いでいる。また、図７のように、係合部６３が、上記凹入部２４を形作っている内板部２８に開設されている開口２９から内方（凹入部２４の外側）へ突き出ていると共に、押圧部６４がピン部材５に内側から臨んでいる。
【００１９】
さらに、図７〜図９のように、ボディ１には、スライダ２の凹入部２４の外側に位置するフレーム部材８が設けられていて、このフレーム部材８に形成された開口８１の前側開口縁によって、上記したフック部６８の相手方である掛止部８２が形成されている。そして、フック部６８が、図８のように開口８１から外側へ突き出て掛止部８２に掛止可能な外側位置と、図７のように掛止部８２に掛止不能な内側位置との間で変位可能になっていると共に、フック部６８がばね片部６７によって内側位置に向けて弾発付勢されるようになっている。加えて、掛止部８２とフック部６８との掛止位置は、スライダ２が初期位置から押込位置まで移動する途中の箇所、具体的にはスライダ２が初期位置に位置しているときのフック部６８の位置の少し前側に位置している。
【００２０】
ピン部材５と板金ユニット６とが組み付けられたスライダ２は、図７〜図９のように、ボディ１の片側側部に前後スライド自在に保持され、しかも、スライダ２とボディ１との間に介在されたコイルばねでなるばね７によって常時後方に弾発付勢されている。なお、スライダ２の初期位置は、スライダ２がボディ１側の当り面１７に当接することによって規制されるようになっている。
【００２１】
ここで、ばね７によってスライダ２を後方に弾発付勢するばね力は、弾性片部６２によって弾発付勢された係合体６３をスライダ２の側方へ退避させるのに要する力よりも大きくなっている。
【００２２】
次に、カム機構４の構成や作用については後述することとし、カード１００が正規姿勢で挿入された場合と裏返し姿勢で逆挿入された場合の作用を説明する。
【００２３】
初期位置に位置しているスライダ２は、図７のようにボディ１側の当り面１７にばね７の付勢力によって弾圧することによって位置規制されている。
【００２４】
スライダ４が初期位置に位置決めされているときに、ボディ１にカード１００が正規姿勢で前向きに挿入されてくると、スライダ２の支持面２１から内方へ突き出ている係合体６３の傾斜した後側ガイド面６３ａにカード１００の先端片側コーナ部１０３が突き当たった後、そのカード１００の片側端面１０１の前側部分が係合体６３に乗り上がって係合体６３を外側方へ退避させた後、カード１００の片側端面１０１が係合体６３を乗り越えて図７のように凹所１０６に係合体６３を嵌合させる。図７のように、係合体６３がカード１００の凹所１０６に嵌合すると、カード１００が後方へ無理やり強く引張られない限り、係合体６３が凹所１０６の内部でカード１００に係合することによってカード１００のスライダ２からの単独後退が防止されるというハーフロック機能が発揮される。また、スライダ２側の板片部２３がカード１００の裏側に備わっている凹入部１０４に嵌まって、カード１００の先端片側コーナ部１０３がスライダ２の係合部２２に突き当たる。
【００２５】
この後、カード１００をさらに挿入してカード１００と共にスライダ２をばね７の付勢に抗して前方Ｆへ押し込んでいくことによって、スライダ２が押込位置に到達してフルロック状態（後述する）となり、カード１００がカードセット位置（図７に仮想線で示してある）に挿入され、カード１００の電極に、ボディ１側の接片部材の接点が弾接する（不図示）。この状態から、フルロック状態が解除されると、スライダ２はばね７の付勢によって後方へ移動して図７に示した初期位置に復帰する。
【００２６】
次に、図８のように、カード１００が裏返し姿勢でボディ１に逆挿入されたときには、スライダ２が初期位置で停止しているときに、カード１００の幅方向他側端面１０２が係合体６３の後側ガイド面６３ａの作用によって係合体６３に乗り上り、係合体６３を弾性片部６２の付勢に抗して側方へ退避させる。こうして係合体６３が側方へ退避すると、それに伴って係合体６３に弾性片部６２を介して連設されている押圧部６９がばね片部６７を外側位置に向けて押すので、フック部６８もフレーム部材８の開口８１から外側位置に向けて押し出される。その後に、カード１００の他側端面１０２が係合体６３に乗り上がったままスライダ２が初期位置から押込位置に向けて矢印Ｆのように前方に押し込まれると、カード１００がスライダ２の板片部２３に突き当たってスライダ２を押し込むので、フック部６８がスライダ２と共に前方へ移動して図９のようにフレーム部材８の掛止部８２に掛止し、その掛止位置を越えてスライダ２が前進することを阻止する。そして、掛止部８２とフック部６８との掛止位置は、スライダ２が初期位置に位置しているときのフック部６８の位置の少し前側に位置しているので、操作者はスライダ２が押込位置に到達する前にカード１００を押し込むことができなくなり、それによって操作者はカード１００を裏返し姿勢で逆挿入したことに気付く。したがって、操作者はカード１００をボディ１から引き抜いて正規姿勢で挿入しなおすことが可能である。なお、カード１００がボディ１から引き抜かれると、スライダ２はばね７の付勢により後方へ移動して図８に示した初期位置に復帰する。また、係合体６３が弾性片部６２の弾性によって開口２９から内側へ突き出し、併せて、フック部６８がばね片部６７の弾性によって内側位置に復帰する。
【００２７】
以上のように、この実施形態によれば、カード１００を正規姿勢で挿入した場合の押込みストロークよりもカード１００を裏返し姿勢で逆挿入した場合の押込みストロークが短くなっているので、カード１００を裏返し姿勢で逆挿入した操作者にカード１００の逆挿入を正しく容易に認識させることのできる。
【００２８】
また、この実施形態では、弾性片部６２、係合体６３、押圧部６９、フック部６８、ばね片部６７８とが板金ユニット６という単一部品によって形成されるので、部品点数の増大が抑制されて組立工数や部品コストが削減されるだけでなく、押圧部６９やフック部６８９などの必要な位置精度が容易に確保されるようになって優れた動作安定性が得られた。また、板金製のフレーム部材８２が合成樹脂成形体でなるボディ１を補強しているので、ボディを薄肉化してそのコンパクト化を促進することが可能になった。
【００２９】
次にカム機構４の構成や作用を説明する。
図４のように、カム部４１はカム溝４２を備えていて、このカム溝４２にスライダ２に保持されているピン５２が倣うようになっている。カム溝４２は、ピン５２をカム部４１の前方Ｆへ案内する溝形往路４３と、その溝形往路４３の終点に位置してピン５２を係止する段付状の係止部４４と、その係止部４４を始点としてピン５２を後方へ案内することによりピン部材５（図５など参照）に無理な変形を強いることなく溝形往路４３の始点Ｐに導く溝形復路４５とを有していて、溝形復路４５が溝形往路４３よりも外側に位置している。このうち、溝形往路４３は、その始点Ｐの位置から斜め内側に延び出た斜行部４３ａや迂回部４３ｂを経て終点（係止部４４）に至り、溝形復路４５は、係止部４４からその外側方へ突き出した迂回部４５ａとその迂回部４５ａから後方へまっすぐに延び出た復路主部４５ｂとを有している。また、復路主部４５ｂにまっすぐに連続して、溝形往路４３の始点Ｐの側部に至る退避路４６が追加されていると共に、図５のように、溝形往路４３の始点Ｐが退避路４６よりも低位に位置し、しかも、溝形往路４３の始点Ｐと退避路４６とが傾斜面４７で連絡されている。この傾斜面４７は、溝形往路４３の始点Ｐに位置するピン５２が外側に押されたときには、そのピン５２を摺動させて退避路４６に乗り上がらせたり、退避路４６に乗り上がっているピン５２を摺動させて溝形往路４３の始点Ｐまで移動させる機能を備えている。
【００３０】
上記形状のカム溝４２において、溝形往路４３の迂回部４３ｂの起点、係止部４４を挟む両側、溝形復路４５の溝形往路４３に対する合流箇所には、ピン５２の逆行きを防ぐ段差部３１，３２，３３，３４がそれぞれ備わっている。図６には、迂回部４５ａと復路主部４５ｂとの境界箇所に形成されている段差部３３を示している。
【００３１】
これに対し、ピン５２は図５に示したように、その先端（下端）の外周縁が、上記退避路４６よりも幅広でかつ溝形往路４３に向かう下り勾配を有する湾曲面（アール面）でなる傾斜面５３に加工されている。このため、図５の矢印ｆで示したように、図３などで説明したばね体６１の湾曲部６６によってピン部材５が押し付けられてピン５２の傾斜面５３が退避路４６に押し付けられると、ピン５２が退避路４６から溝形往路４３の始点Ｐまで移動する。
【００３２】
次にカム機構４の作用などを説明する。
【００３３】
スライダ４が初期位置に位置決めされているときに、ボディ１にカード１００が正規姿勢で前向きに挿入されて、カード１００の片側端面１０１が係合体６３に乗り上がって係合体６３を外側方へ退避させたときには、押圧部６４がピン部材５を押してカム溝４２の溝形往路４３の始点Ｐに位置しているピン５２（図４参照）を図５で説明した傾斜面４７上で摺動させて退避路４６へ押し出すけれども、こうして退避路４６へ押し出されたピン５２は、図７のように係合体６３が凹所１０６に嵌合して押圧部６４が内方へ変位するのに伴って、ピン５２の傾斜面５３がばね体６１の付勢による作用で退避路４６から傾斜面４７を滑り落ちて溝形往路４３の始点Ｐに復帰移動する。
【００３４】
この後、カード１００をプッシュ（押込み操作）してカード１００と共にスライダ２をばね７の付勢に抗して前方Ｆへ押し込んでいくと、スライダ２に追従するピン部材５のピン５２が、カム溝４２の溝形往路４３を無理な変形を強いられることなく図４に矢印で示した前方Ｆへ移動して迂回部４３ｂの前端に突き当る。このときに、カード１００に対するプッシュ作用を解放すると、ばね７の力でスライダ２が後方へ押し戻され、ピン５２が迂回路４３ｂを通って溝形往路４３の終点まで達し、係止部４４に係止される。このときには、カード１００をハーフロックしているスライダ２の後退が阻止されるというフルロック機能が発揮され、カード１００がカードセット位置（図７に仮想線で示してある）に挿入されてそのカード１００の電極にボディ１側の接片部材の接点が弾接する。
【００３５】
フルロック状態から、カード１００が引抜き方向に強く引っ張られると、係合体６３の傾斜した前側ガイド面６３ｂの作用でカード１００の片側端面１０１の前側部分が係合体６３に乗り上がって係合体６３が外側方へ退避させられ、それによりハーフロック状態が解除される。併せて、押圧部６４がピン部材５を押して溝形往路４３の終点で係止部４４に係止されていたピン５２を、図４に示した迂回路４５ａを経て溝形復路４５の復路主部４５ｂに押し出すので、フルロック状態が解除される。
【００３６】
こうしてフルロック状態が解除されると、スライダ２はばね７の付勢によって後方へ移動し、それに伴ってピン５２が溝形復路４５から退避路４６まで移動して溝形往路４２の始点Ｐまで復帰移動する。また、スライダ２は図７に示した初期位置に復帰する。
【００３７】
次に、図８のように、カード１００が裏返し姿勢でボディ１に逆挿入されたときには、スライダ２が初期位置で停止しているときに、カード１００の幅方向他側端面１０２が係合体６３に乗り上ってその係合体６３を弾性片部６２の付勢に抗して側方へ退避させる。このため、押圧部６４がピン部材５を押し、溝形往路４３の始点Ｐに位置するピン５２を、図５に示した傾斜面４７を経て退避路４６へ押し出してそのピン５２を退避路４６に位置させる。したがって、その後にスライダ２がカード１００に押されて初期位置から図９に示した掛止部８２とフック部６８との掛止位置に相応する位置まで前方へ押し込まれたときには、ピン５２が退避路４６を移動するか、あるいは、退避路４６から溝形復路４５に入る。そのため、ピン部材５に無理な変形が強いられるという事態は起こらない。また、ピン５２が係止部４４に係止されることによりフルロックされてしまうという事態も起こらない。
【００３８】
以上のように、この実施形態では、カム部４１とピン部材５との組合せでなるカム機構４を採用してプッシュ・プッシュ操作を可能にしていながら、カード１００が裏返し姿勢で挿入されたときでも、ピン部材５に無理な変形が強いられない。そのため、ハーフロック機能やフルロック機能が損なわれるという事態の起きるおそれのないカム機構を備えたカードコネクタを提供することが可能になる。このことは、カードコネクタの薄形化に伴ってピン部材を極細の線材で製作しなければならないような場合でも、信頼性の高いハーフロック機能やフルロック機能を具備させることが可能になる。
【００３９】
図１〜図９で説明した実施形態によれば、操作者にカード１００が裏返し姿勢で逆挿入されたことを確実に認識させることができるだけでなく、カード１００が裏返し姿勢で逆挿入されたときに、カード１００をカードセット位置まで挿入したときのフルロック機能を発揮するカム機構４のピン部材５に無理な変形を強いられることがなくなってフルロック機能の動作信頼性が向上する。
【００４０】
【発明の効果】
本発明によれば、カードを正規姿勢で挿入した場合の押込みストロークよりもカードを裏返し姿勢で逆挿入した場合の押込みストロークを短くしてあるので、カードを裏返し姿勢で逆挿入した操作者にカードの逆挿入を正しく容易に認識させることができるようになる。そのため、カードがフルロックされずに挿入後に直ちに押し出されたようなときに、操作者がカードコネクタやそれが取り付けられている機器が故障しているものと誤認するおそれが少なくなる。
【図面の簡単な説明】
【図１】本発明のカードコネクタの実施形態の概略斜視図である。
【図２】スライダとカム機構を形成しているピン部材を示した概略斜視図である。
【図３】板金ユニットを裏返し姿勢で示した概略斜視図である。
【図４】カム機構を形成しているカム部のカム溝形状を示した説明図である。
【図５】図４のＶ−Ｖ線拡大断面図である。
【図６】図４のＶＩ−ＶＩ線拡大断面図である。
【図７】カードが正規姿勢で挿入された場合の作用説明図である。
【図８】カードが逆挿入された場合の作用説明図である。
【図９】カードが逆挿入されて掛止部にフック部が掛止された状態での作用説明図である。
【符号の説明】
１  ボディ
２  スライダ
６  板金ユニット
８  フレーム部材
６２  弾性片部（弾性体）
６３  係合体
６３ａ  後側ガイド面
６３ｂ  前側ガイド面
６７  ばね片部
６８  フック部
６９  押圧部
８１  開口
８２  掛止部
１００  カード
１０１  カードの幅方向片側端面
１０６  凹所
【図１】
0003989304.tif 000002
【図２】
0003989304.tif 000003
【図３】
0003989304.tif 000004
【図４】
0003989304.tif 000005
【図５】
0003989304.tif 000006
【図６】
0003989304.tif 000007
【図７】
0003989304.tif 000008
【図８】
0003989304.tif 000009
【図９】
0003989304.tif 000010